(57)【要約】【課題】  手の不自由な障害者等が介護者等の介護を受けずに、飲食を簡単にすることができて、設置スペースが比較的小さくて済み、しかも費用が嵩まず、メンテナンスも不要な食器台を提供すること。【解決手段】  容器１０に入れられた飲み物９を保持するための保持部１１と、保持部１１を支持軸１７、１７を中心にして揺動自在に支持する支持部１２と、保持部１１に設けられ顎８を押し当てて保持部１１を傾斜させるためのものであり傾斜した保持部１１に保持されている飲み物９が口２２に入るように形成した突出部２１とを備える。【選択図】      図２
2005245584.tif 000002
【特許請求の範囲】
【請求項１】
飲食物を保持するための保持部と、前記保持部を水平軸線を中心にして揺動自在に支持する支持部と、前記保持部に設けられ顎を押し当てて前記保持部を傾斜させるためのものであり傾斜した前記保持部に保持されている飲食物が口に入るように形成した突出部とを備えることを特徴とする食器台。
【請求項２】
前記保持部を所定の傾斜角度で係止して、前記保持部が前記所定の傾斜角度よりも小さい傾きとなる方向の揺動を係止する係止部を設けたことを特徴とする請求項１記載の食器台。
【請求項３】
前記保持部は、飲食物が入れられる容器を着脱自在に保持可能であることを特徴とする請求項１又は２記載の食器台。
【請求項４】
前記保持部に設けられ、前記容器の長さに拘らず、前記容器に形成された飲食物取出し縁部の前記突出部に対する位置が一定となるように、前記容器を位置決めする位置決め手段を備えることを特徴とする請求項３記載の食器台。
【発明の詳細な説明】
【技術分野】
【０００１】
本発明は、手を使用できない者や、手の不自由な例えば障害者が、顎を使用して飲食できるようにする食器台に関する。
【背景技術】
【０００２】
従来の水飲み装置の一例として図８に示すものがある（例えば、特許文献１参照。）。この水飲み装置１は、同図に示すように、車椅子２に乗った例えば身体障害者がこの水飲み装置１を使用して水を簡単に飲むことができるようにするものである。つまり、車椅子２に乗った身体障害者３等がこの水飲み装置１を使用して水を飲むときは、同図に示すように、突出部４の下方に車椅子２を入り込ませればよく、これによって、口を水噴射ノズル５に近づけて水を簡単に飲むことができる。
【０００３】
また、この水飲み装置１を、例えば手が不自由な障害者が使用できるようにするには、障害者等が水噴射ノズル５に口を近づけたときに、それをセンサが検知して、ノズル５から水が自動的に噴射されるようにすればよいと考えることができる。
【特許文献１】特開平６−１４６３５４号公報
【発明の開示】
【発明が解決しようとする課題】
【０００４】
しかし、図８に示す従来の水飲み装置１では、例えば、手が不自由な障害者等が食事のときに水を飲むために、このような装置を台所等に設置するときは、比較的広い設置スペースが必要であり、そのような設置スペースを確保できない場合は、この水飲み装置１を使用することができない。そして、このような水飲み装置１では、費用が嵩むし、メンテナンスも必要である。
【０００５】
本発明は、上記のような課題を解決するためになされたものであり、手の不自由な障害者等が飲食を簡単にすることができて、設置スペースが比較的小さくて済み、しかも費用が嵩まず、メンテナンスも不要な食器台を提供することを目的としている。
【課題を解決するための手段】
【０００６】
本発明は、飲食物を保持するための保持部と、前記保持部を水平軸線を中心にして揺動自在に支持する支持部と、前記保持部に設けられ顎を押し当てて前記保持部を傾斜させるためのものであり傾斜した前記保持部に保持されている飲食物が口に入るように形成した突出部とを備えることを特徴とするものである。
【０００７】
この発明の食器台を使用して、例えば手の不自由な障害者が水等の飲み物や、お菓子等の食べ物（飲食物）を飲んだり食べたりするときは、まず、介護者や世話をする者が例えば飲食物の入った容器を保持部に装着するか、若しくは飲食物を直接に保持部に入れる。次に、障害者等は、顎を突出部に当てると共に、口を容器又は保持部の縁部にあてがう。そして、顎で突出部を押すことによって保持部の傾きを大きくする。これによって、容器又は保持部の縁部から零れ出る飲食物を口に入れて飲食することができる。
【０００８】
また、保持部を傾斜させるときは、口を使わずに顎で突出部を操作するようにしているので、口を自由に動かすことができる。従って、飲食物を零さずに簡単に口の中に入れて、飲んだり食べたりすることができる。
【０００９】
そして、この発明において、前記保持部を所定の傾斜角度で係止して、前記保持部が前記所定の傾斜角度よりも小さい傾きとなる方向の揺動を係止する係止部を設けてもよい。このようにすると、保持部を係止部によって所定の傾斜角度で係止して揺動を停止させることができるので、顎及び口を、突出部及び保持部等の飲食物が取り出される縁部にあてがい易くすることができる。また、保持部が所定の傾斜角度で係止されているので、保持部が垂直に配置されている場合と比較して、保持部に保持されている飲食物を口に入れるために必要とされる、保持部を傾斜させる角度を小さくすることができる。従って、飲食物を簡単に口に入れることができる。
【００１０】
また、この発明の食器台に設けられている前記保持部が、飲食物が入れられる容器を着脱自在に保持可能なものとしてもよい。このようにすると、容器を使用した後に保持部から取り外して、その容器を簡単に洗浄することができる。
【００１１】
更に、この発明の食器台は、前記保持部に設けられ、前記容器の長さに拘らず、前記容器に形成された飲食物取出し縁部の前記突出部に対する位置が一定となるように、前記容器を位置決めする位置決め手段を備えるようにしてもよい。このようにすると、飲食物が収容される容器の長さに拘らず、顎及び口を、突出部及び容器の飲食物取出し縁部のそれぞれに確実にあてがうことができる。従って、長さの相違する複数種類の容器のうち所望の容器を保持部に装着しても、その容器に入っている飲食物を、手を使用せずに、顎を使用して簡単に飲食することができる。
【発明の効果】
【００１２】
この発明の食器台によると、手を使用できない者や、手の不自由な例えば障害者が、顎を使用して保持部を傾けることによって、保持部に保持されている飲食物を飲んだり食べたりすることができる構成であるので、介護者等の介護を受けずに飲食を簡単にすることができる。しかも、図８に示す従来の水飲み装置１と比較して、設置スペースが小さくて済み、費用が嵩まず、そしてメンテナンスも不要であり実用的である。
【発明を実施するための最良の形態】
【００１３】
以下、本発明に係る食器台の第１実施形態を図１乃至図３を参照して説明する。この食器台７は、図１に示すように、手を使用できない者や、手の不自由な例えば障害者６が、顎８を使用して水やジュース等の飲み物９を飲むことができるようにするためのものである。この食器台７は、同図に示すように、コップ等の容器１０を保持するための保持部１１、及びこの保持部１１を支持する支持部１２を備えている。図１は、食器台７にコップ等の容器１０を装着した状態を示す正面図であり、図３は図１に示す食器台７の右側面図である。
【００１４】
保持部１１は、図１及び図３に示すように、断面形状がほぼ半円形に形成された樋状の側壁１１ａを有している。この側壁１１ａの下端部に底壁１１ｂが設けられている。この底壁１１ｂは、ほぼ半円形の板状体である。そして、側壁１１ａの上部は、図３に示すように、上端部に向かうに従って横幅が狭くなるように形成され、先端縁部１３が円弧状に形成されている。この保持部１１は、ほぼ円筒形のコップ等の容器１０を着脱自在に保持できるものであり、支持部１２に支持されている。
【００１５】
支持部１２は、図３に示すように、細長い板状体をほぼＵ字状に屈曲形成したものであり、互いに平行する２本の支柱部１２ａと、この２本の支柱部１２ａのそれぞれの下端部を互いに連結する基端部１２ｂとを備えている。基端部１２ｂは、基台１４にボルト１５及びナット１６で締め付け固定されている。この基端部１２ｂの両端部から鉛直上方に２本の支柱部１２ａが延びている。この２本の支柱部１２ａの間に保持部１１が配置されている。保持部１１は、左右両側に支持軸１７、１７を設けてあり、この一対の支持軸１７、１７が２本の各支柱部１２ａの上端部で揺動自在に保持されている。
【００１６】
つまり、支持軸１７、１７は、図３に示すように、保持部１１の中央部よりも少し上側の箇所に、側壁１１ａの左右の各外面から外側に突出するように設けられている。この一対の支持軸１７、１７は、同一水平直線上に配置されている。そして、各支持軸１７、１７は、図１に示すように、一対の各支柱部１２ａ、１２ａの上端に形成された切欠き部１８に着脱自在に係合して保持されている。このようにして、保持部１１は、支持軸１７、１７を中心にして揺動自在に支柱部１２ａ、１２ａに保持されている。なお、各支持軸１７、１７の先端部には、外れ止め部１７ａ、１７ａが形成されている。また、２本の支柱部１２ａ、１２ａは、それぞれの中央部が係止部１９によって連結されている。
【００１７】
係止部１９は、図１及び図３に示すように、所定長さの細長い板状体であり、両端部が屈曲形成されており、それぞれの端部が各支柱部１２ａと例えばリベット２０、２０によって接合されている。この係止部１９は、図１に示すように、保持部１１が水平面に対して傾斜角度θ１（例えば約７０°）を成す位置に揺動した状態で、保持部１１の下部と当接する位置に配置されている。これによって、係止部１９は、保持部１１を傾斜角度θ１で係止して、保持部１１が傾斜角度θ１よりも小さい傾きとなる方向の揺動を係止している。また、保持部１１には、突出部２１が設けられている。
【００１８】
突出部２１は、図１及び図３に示すように、所定長さの細長い板状体を屈曲形成したものであり、その下部が保持部１１の長さ方向と平行し、樋状に形成された側壁１１ａの底部の外面に沿う状態で、例えばリベット（図示せず）によって接合されている。そして、突出部２１の上部は、先端に向かうに従って保持部１１から離れる方向に屈曲しており、先端部２１ａが外側に折り返されてＵ字状に屈曲している。
【００１９】
次に、上記のように構成された食器台７を使用して、例えば手を使用できない者や、手の不自由な障害者６が水やジュース等の飲み物９を飲むときの手順を説明する。まず、図１に示すように、介護者や世話をする者が例えば水の入ったコップ等の容器１０を、保持部１１上に載置することによって装着する。次に、障害者６等は、顎８を突出部２１に当てると共に、口２２を容器１０の開口縁部（飲み物９が取り出される縁部）２３にあてがう。そして、図２に示すように、顎８で突出部２１を押すことによって保持部１１の傾きを大きくする。これによって、容器１０の縁部２３から零れ出る飲み物９を飲むことができる。
【００２０】
なお、容器１０は、図１に示すように、保持部１１に装着できる外径である。そして、容器１０の長さは、顎８を突出部２１に当てた状態で、口２２を容器１０の開口縁部２３にあてがうことができる寸法のものである。
【００２１】
この食器台７によると、手を使用できない者、例えば障害者６等が、顎８を使用して保持部１１を傾けることによって、保持部１１に保持されている容器１０中の飲み物９を、介護者等の介護を受けずに簡単に飲むことができる。しかも、図８に示す従来の水飲み装置１と比較して、設置スペースが小さくて済み、費用が嵩まず、そしてメンテナンスも不要であり実用的である。
【００２２】
また、保持部１１を傾斜させるときは、口２２を使わずに顎８で突出部２１を操作するようにしているので、口２２を自由に動かすことができる。従って、飲み物９を零さずに簡単に口２２の中に入れて、飲むことができる。
【００２３】
そして、図１に示すように、保持部１１を係止部１９によって傾斜角度θ１で係止して揺動を停止させることができるので、顎８及び口２２を、突出部２１及び保持部１１に装着されている容器１０の縁部２３にあてがい易くすることができる。また、保持部１１が傾斜角度θ１で係止されているので、保持部１１が垂直に配置されている場合と比較して、容器１０に入っている飲み物９を口２２に入れるために必要とされる、保持部１１を傾斜させる角度を小さくすることができる。従って、飲み物９を簡単に口２２に入れることができる。
【００２４】
更に、図１に示すように、容器１０を保持部１１に載せることによって簡単に装着することができるし、容器１０を保持部１１から持ち上げることによって簡単に取り外すことができる。これによって、容器１０を使用した後に、保持部１１から簡単に取り外して洗浄することができ、よって容器１０を衛生的に使用できる。
【００２５】
次に、図４及び図５を参照して、この発明の第２実施形態に係る食器台２４を説明する。この図４に示す第２実施形態と、図１に示す第１実施形態とが相違するところは、保持部２５、１１が相違するところである。これ以外は、第１実施形態と同等であるので、同等部分を同一の図面符号で示し、それらの説明を省略する。
【００２６】
この保持部２５は、図４に示すように、短円筒状の周壁２６を有しており、内部に例えば缶入りのジュースやお茶等の容器２７を収容して保持できるものである。そして、この保持部２５には、位置決め機構２８が設けられている。この位置決め機構２８は、保持部２５内に挿入される容器２７を位置決めするためのものであり、位置決めピン３０、並びにこの位置決めピン３０が挿通される第１の挿通孔３１及び第２の挿通孔３２を備えている。
【００２７】
位置決めピン３０は、ほぼ円形に屈曲形成された頭部３０ａを有し、この頭部３０ａから真っ直ぐに延びる挿通部３０ｂが形成されている。
【００２８】
第１の挿通孔３１は、図４に示すように、保持部２５のほぼ中央位置に形成され、保持部２５及び突出部２１を貫通する２つの小孔から成っている。この２つの第１の挿通孔３１、３１は、保持部２５のほぼ半径方向に沿って一直線上に形成されている。ただし、この第１の挿通孔３１は、これに挿通された位置決めピン３０が第１の挿通孔３１から抜け出ないように形成してある。つまり、位置決めピン３０は、第１の挿通孔３１に挿通した状態で、頭部３０ａが挿通部３０ｂの上側となるように傾斜して配置されるようにしてある。
【００２９】
第２の挿通孔３２は、第１の挿通孔３１と同等のものであり、保持部２５及び突出部２１を貫通する２つの小孔から成っている。そして、図４に示すように、第１の挿通孔３１よりも保持部２５の下端側の位置であって、第１の挿通孔３１と平行して形成されている。
【００３０】
この保持部２５によると、図４の実線で示すように、第１の挿通孔３１に位置決めピン３０を装着した状態で、所定長さの第１の容器２７を保持部２５の上側開口部から挿入すると、第１の容器２７の底が位置決めピン３０と当接する。このようにして、この位置決めピン３０によって第１の容器２７を保持部２５内の所定位置に位置決めして保持することができる。
【００３１】
次に、図４の二点鎖線で示すように、第２の挿通孔３２に位置決めピン３０を装着した状態で、第１の容器２７よりも長さの長い所定長さの第２の容器２９を、保持部２５の上側開口部から挿入すると、第２の容器２９の底が二点鎖線で示す位置決めピン３０と当接する。このように、この位置決めピン３０によって第２の容器２９を保持部２５内の所定位置に位置決めして保持することができる。
【００３２】
ただし、実線で示す第１の容器２７を保持部２５に装着した状態における第１の容器２７の飲み口（飲食物取り出し縁部）３３の位置と、二点鎖線で示す第２の容器２９を保持部２５に装着した状態における第２の容器２９の飲み口３３の位置と、が互いに一致しており、しかもそれぞれの飲み口３３，３３の位置が、図１に示す第１実施形態の容器１０の開口縁部２３の位置と一致するように、この保持部２５（位置決め機構２８を含む）が形成されている。
【００３３】
従って、第２実施形態の食器台２４によると、図４に示すように、飲み物９が収容される第１及び第２の容器２７、２９の長さに拘らず、顎８及び口２２を、突出部２１及び容器２７、２９の飲み口３３の縁部のそれぞれに確実にあてがうことができる。よって、図５に示すように、長さの相違する第１及び第２の容器２７、２９のうち所望の容器を保持部２５に装着しても、その容器２７、２９に入っている飲み物９を、第１実施形態と同様にして手を使用せずに、顎８を使用して簡単に飲むことができる。
【００３４】
次に、図６及び図７を参照して、この発明の第３実施形態に係る食器台３４を説明する。この図６に示す第３実施形態と、図１に示す第１実施形態とが相違するところは、保持部３５、１１及び係止部３６、１９が相違するところである。これ以外は、第１実施形態と同等であるので、同等部分を同一の図面符号で示し、それらの説明を省略する。
【００３５】
この保持部３５は、図６に示すように、図１に示す保持部１１において、その下部３５ａをカップ状に形成して、側壁１１ａを第１実施形態のものよりも少し長く形成したものである。保持部３５は、内部に例えばお菓子等の食べ物３７を収容して保持できるものである。なお、保持部３５に保持される食べ物３７は、口２２に入る大きさのものが好ましい。
【００３６】
係止部３６は、図６に示すように、支持部１２と間隔を隔てて基台１４上に設けられている。この係止部３６は、細長い板状体をほぼコ字状に屈曲形成したものであり、下端部３６ａをボルト３８及びナット３９によって基台１４に固定して取り付けてある。そして、この係止部３６は、下端部３６ａから鉛直上方に延びており、上端部３６ｂが屈曲している。この係止部３６は、図６に示すように、保持部３５が水平面に対して傾斜角度θ２（例えば約３５°）を成す位置に揺動した状態で、上端部３６ｂが保持部３５の下部３５ａと当接する位置に配置されている。これによって、保持部３５を傾斜角度θ２で係止して、保持部３５が傾斜角度θ２よりも小さい傾きとなる方向の揺動を係止している。
【００３７】
この食器台３４を使用して、手の不自由な障害者６等が例えば口２２に入る大きさのお菓子等の食べ物３７を食べるときは、まず、介護者等が食べ物３７を保持部３５に入れる。次に、障害者６等は、顎８を突出部２１に当てると共に、口２２を保持部３５の先端縁部４０にあてがう。そして、図７に示すように、顎８で突出部２１を押すことによって保持部３５の傾きを大きくする。これによって、保持部３５の縁部４０から零れ出る食べ物３７を口２２に入れて食べることができる。
【００３８】
なお、この実施形態において、図６に示すように、係止部３６を基台１４に設けて保持部３５の傾きを比較的大きくしたのは、保持部３５に保持されている食べ物３７を口２２に入れるために必要とされる、保持部３５を傾斜させる角度を小さくするためである。これによって、食べ物３７を簡単に口２２に入れることができる。また、係止部１９は、支持部１２の補強部材として設けられている。
【００３９】
ただし、上記各実施形態では、例えば保持部１１と突出部２１とを、及び係止部１９と支柱部１２とをそれぞれリベット２０等で接合したが、これ以外に例えば接着等の方法で接合してもよい。
【００４０】
そして、第１実施形態では、図１に示すように、保持部１１で容器１０を保持して、この容器１０に飲み物９を入れて飲むようにしたが、これに代えて、保持部を容器の形に形成して、この保持部に飲み物９を入れて飲むようにしてもよい。
【００４１】
また、第３実施形態では、図６に示すように、保持部３５に食べ物３７を直接に入れるようにしたが、これに代えて、食べ物３７を容器に入れて、この容器を保持部３５に装着するようにしてもよい。そして、この容器に入れられている食べ物３７を、第３実施形態と同様にして食べるようにする。
【００４２】
更に、上記各実施形態の保持部１１、２５、３５の形状は、それぞれの図に示す以外のものとしてもよい。要は、飲食物を直接に保持する場合は、飲食物が保持部から零れ出ないように保持できて、保持部を傾けることによって、先端の縁部から飲食物を口２２に入れることができるものであればよい。そして、容器に収容された飲食物を保持する場合は、その容器を保持できて、保持部を傾けることによって、容器の縁部から飲食物を口２２に入れることができるものであればよい。
【産業上の利用可能性】
【００４３】
以上のように、本発明に係る食器台は、手の不自由な障害者等が飲食を簡単にすることができて、設置スペースが比較的小さくて済み、しかも費用が嵩まず、メンテナンスも不要とすることができる優れた効果を有し、このような食器台等に適用するのに適している。
【図面の簡単な説明】
【００４４】
【図１】この発明の第１実施形態に係る食器台を示す正面図である。
【図２】同第１実施形態に係る食器台の保持部を傾けて飲み物を飲む状態を示す正面図である。
【図３】同第１実施形態に係る食器台の側面図である。
【図４】同発明の第２実施形態の食器台を示す正面図である。
【図５】同第２実施形態に係る食器台の保持部を傾けて飲み物を飲む状態を示す正面図である。
【図６】同発明の第３実施形態の食器台を示す正面図である。
【図７】同第３実施形態に係る食器台の保持部を傾けて食べ物を食べる状態を示す正面図である。
【図８】従来の水飲み装置を示す斜視図である。
【符号の説明】
【００４５】
７、２４、３４  食器台
８  顎
９  飲み物
１０  容器
１１、２５、３５  保持部
１２  支持部
１４  基台
１７  支持軸
１８  切欠き部
１９、３６  係止部
２１  突出部
２２  口
２３  容器の開口縁部
２７  第１の容器
２８  位置決め機構
２９  第２の容器
３０  位置決めピン
３１  第１の挿通孔
３２  第２の挿通孔
３３  容器の飲み口
３７  食べ物
４０  保持部の先端縁部
【図１】
2005245584.tif 000003
【図２】
2005245584.tif 000004
【図３】
2005245584.tif 000005
【図４】
2005245584.tif 000006
【図５】
2005245584.tif 000007
【図６】
2005245584.tif 000008
【図７】
2005245584.tif 000009
【図８】
2005245584.tif 000010